(57)【要約】【課題】製造のために使用される材料が少なくなるパッケージを提供する。【解決手段】パッケージ１は、内容物１００を収容するトレー２０、および、トレー２０を包装する袋１０を有する。フランジ３０の基部４０の上面である内側上面４１と袋１０とが互いにシールされた部分である内部シール部１６が形成されていることにより、トレー２０の収容空間２４が袋１０により閉鎖されている。フランジ３０の山部６０の上面であって袋１０とシールされていない外側上面６１が、内側上面４１よりも高い位置に形成されている。フランジ３０の谷部５０の上面であって袋１０とシールされていない中間上面５１が、フランジ３０の短手方向における内側上面４１と外側上面６１との間、かつ、内側上面４１よりも低い位置に形成されている。【選択図】図２Ａ
2015174696.tif 000002
【特許請求の範囲】
【請求項１】
開口の周囲にフランジが形成されたトレー、および、前記トレーを包装した袋を有するパッケージであって、
前記フランジの上面の一部である内側上面と前記袋とが互いにシールされた部分である内部シール部が形成されていることにより、前記トレーの内部の空間が前記袋により閉鎖され、
前記内側上面よりも前記フランジの先端側、かつ、前記内側上面よりも高い位置に、前記袋とシールされず、前記袋のうちの前記内部シール部よりも外側の部分が持ち上げられるように前記内側上面に対する高さが設定された前記フランジの上面の一部である外側上面が形成されている
パッケージ。
【請求項２】
前記フランジを補強する補強部が、前記フランジのうちの前記外側上面が形成されている部分の底面から下方に向けて延びるように形成されている
請求項１に記載のパッケージ。
【請求項３】
前記補強部が、前記フランジの全周にわたり形成されている
請求項２に記載のパッケージ。
【請求項４】
前記フランジの上面の一部であって、前記フランジが前記トレーから突き出る方向における前記内側上面と前記外側上面との間、かつ、前記内側上面よりも低い位置に、前記袋とシールされていない中間上面が形成されている
請求項１〜３のいずれか一項に記載のパッケージ。
【請求項５】
前記内側上面に対する前記外側上面の高さが１ｍｍ以上に設定されている
請求項１〜４のいずれか一項に記載のパッケージ。
【請求項６】
前記トレーの高さ方向に沿う前記トレーの断面上において、前記内側上面のうちの前記フランジの先端側の縁と前記外側上面のうちの前記フランジの根本側の縁とを結ぶ線分と、前記内側上面を通過する線分とのなす角が、１５°〜６０°の範囲に含まれるように前記フランジの形状が設定されている
請求項１〜５のいずれか一項に記載のパッケージ。
【発明の詳細な説明】
【技術分野】
【０００１】
本発明は、トレーが袋により包装されたパッケージに関する。
【背景技術】
【０００２】
パッケージは、一例として、内容物である食品を包装するために用いられる。このパッケージによれば、トレーに載せられた内容物がトレーからこぼれ落ちないように、トレーの開口の周囲とシートとがシールされることにより、その開口がシートにより閉鎖され、さらに、そのようにシールされたトレーが包装用の袋により包装される。また、この袋は、例えば、内容物の内容を表示する情報等を印刷するために用いられる。なお、特許文献１は、このようなパッケージの一例を開示している。
【先行技術文献】
【特許文献】
【０００３】
【特許文献１】特許第４５４３５９７号公報
【発明の概要】
【発明が解決しようとする課題】
【０００４】
パッケージの袋の大きさは、主として、トレーを適切に収容できるかどうか、および、袋の製造に使用する材料に無駄が生じないかどうかという観点から設定される。一方、本願発明者は、パッケージの製造のために使用される材料をより少なくするためには、パッケージの一部分である袋だけではなく、パッケージ全体の構造を見直すことが好ましいと考えた。
【０００５】
本発明の目的は、製造のために使用される材料が少なくなるパッケージを提供することである。
【課題を解決するための手段】
【０００６】
〔１〕本パッケージの独立した一形態によれば、開口の周囲にフランジが形成されたトレー、および、前記トレーを包装した袋を有するパッケージであって、前記フランジの上面の一部である内側上面と前記袋とが互いにシールされた部分である内部シール部が形成されていることにより、前記トレーの内部の空間が前記袋により閉鎖され、前記内側上面よりも前記フランジの先端側、かつ、前記内側上面よりも高い位置に、前記袋とシールされず、前記袋のうちの前記内部シール部よりも外側の部分が持ち上げられるように前記内側上面に対する高さが設定された前記フランジの上面の一部である外側上面が形成されている。
【０００７】
本パッケージの袋は、トレーの開口を閉鎖する役割、および、トレーを包装する役割を持つ。このため、トレーの開口がシートによりシールされ、さらに、このトレーが袋により包装されるパッケージと比較して、製造のために使用される材料が少なくなる。
【０００８】
本パッケージによれば、さらに次の効果が得られる。食品等のように、加熱されることにより水蒸気を発生する物体がトレーに収容されている場合には、本パッケージが電子レンジ等の加熱手段により加熱されたとき、内容物から水蒸気が発生する。一方、本パッケージのトレーの開口は、袋により閉鎖されている。このため、内容物から発生した水蒸気によりトレーの内部の圧力が次第に上昇し、袋のうちのトレーの開口を閉鎖している部分が膨張し、内部シール部において袋を内側上面におけるフランジの根本側から剥離させるように力が作用する。
【０００９】
そして、この力により、内部シール部の一部において袋が内側上面から剥離したとき、トレーの内部の水蒸気がその剥離した部分を介して袋のうちのトレーの周囲の空間に流れ出る。このため、その空間の圧力が次第に上昇し、袋のうちのトレーの開口を閉鎖している部分以外の部分も膨張しはじめる。
【００１０】
このとき、袋のうちの外側上面よりもフランジの外側の部分が張り出すことにともない、袋の一部が外側上面と強く接触し、外側上面と袋との接触部分に力の支点が形成される。このため、袋のうちの外側上面と内側上面との間に存在する部分、すなわち、袋のうちの内部シール部よりも外側の部分は、袋のうちの外側上面よりもフランジの外側の部分から強い引っ張り力が加えられる。このため、内部シール部において袋が外側上面側に強く引っ張られることにより、シールされている袋を内側上面におけるフランジの先端側から剥離させる力が作用する。そして、袋のうちのトレーの周囲の空間の圧力が上昇しているときには、そのような力が継続して作用するため、トレーの内部の圧力の上昇により剥離しなかった内部シール部が剥離しやすくなる。
【００１１】
このように、本パッケージによれば、その加熱にともなうトレーの内部の圧力の上昇により内部シール部が剥離し、さらに、そのときに剥離しない内部シール部の剥離が、外側上面と袋との接触部分に形成される力の支点に基づいて加えられる力により促される。このため、パッケージの加熱が終了したときに、内部シール部の全体において袋が内側上面から剥離している状況が形成されやすくなる。このため、エンドユーザーが、加熱されたパッケージのトレーを袋から引き出すときに、内部シール部を剥離させる必要が生じにくくなり、トレーを袋から容易に取り出しやすくなる。
【００１２】
〔２〕前記パッケージに従属する一形態によれば、前記フランジを補強する補強部が、前記フランジのうちの前記外側上面が形成されている部分の底面から下方に向けて延びるように形成されている。
【００１３】
フランジの剛性が低い場合には、パッケージの加熱にともない袋が膨張しても、内部シール部が十分に剥離しないことがある。その理由は次のように考えられる。袋の膨張にともない外側上面と袋との接触部分に力の支点が形成されているとき、外側上面が袋から力を受けている。フランジの剛性が低い場合には、そのように外側上面に加えられた力によりフランジが変形するため、そのようにフランジが変形していない場合、または、フランジの変形量が小さい場合と比較して、袋のうちの外側上面と内側上面との間に存在する部分に加えられる引っ張り力が弱くなる。このため、内部シール部において袋をトレーから剥離させる力も弱くなり、内部シール部が十分に剥離しないことがある。
【００１４】
本パッケージは、このような事項を踏まえ、上記〔２〕のとおり補強部を形成している。このため、補強部が形成されていないフランジと比較してフランジの剛性が高くなり、外側上面が袋から力を受けてもフランジが変形しにくい。このため、袋のうちの外側上面と内側上面との間に存在する部分に、好ましい引っ張り力が作用することにより、内部シール部が一層剥離しやすくなる。
【００１５】
〔３〕前記パッケージに従属する一形態によれば、前記補強部が、前記フランジの全周にわたり形成されている。
本パッケージによれば、フランジの剛性が一層高くなるため、袋のうちの外側上面と内側上面との間に存在する部分により好ましい引っ張り力が作用し、パッケージが加熱されたときに内部シール部が一層剥離しやすくなる。また、エンドユーザーが、加熱されたパッケージのトレーを袋から取り出す場合に、フランジの補強部を取っ手として利用しやすくなる。
【００１６】
〔４〕前記パッケージに従属する一形態によれば、前記フランジの上面の一部であって、前記フランジが前記トレーから突き出る方向における前記内側上面と前記外側上面との間、かつ、前記内側上面よりも低い位置に、前記袋とシールされていない中間上面が形成されている。
【００１７】
シール装置が、シールが予定された平面上の一部にシール材料をヒートシールした場合、予定された一部よりも広い範囲にシール材料がシールされることがある。このため、例えば、内側上面と中間上面とが実質的に同一の平面上に形成される場合には、袋と内側上面とがシール装置によりシールされるとき、シールが予定された内側上面だけでなく、中間上面にも袋がシールされるおそれがある。そのようにシールされた場合、内部シール部の面積が、パッケージの設計時に設定された面積よりも広くなることにより、パッケージが加熱されたときに内部シール部が十分に剥離しないおそれがある。
【００１８】
本パッケージによれば、このような事項を踏まえ、上記〔４〕のとおり中間上面の位置が設定されている。このため、シール装置により袋と内側上面とがシールされるとき、袋が中間上面にもシールされることが回避され、パッケージが加熱されたときに内部シール部が一層剥離しやすくなる。
【００１９】
〔５〕前記パッケージに従属する一形態によれば、前記内側上面に対する前記外側上面の高さが１ｍｍ以上に設定されている。
本願発明者が実施した試験によれば、内側上面に対する外側上面の高さが１ｍｍ以上に設定される場合、パッケージの加熱にともない内容物から水蒸気が発生したとき、内部シール部がより剥離しやすい。
【００２０】
本パッケージによれば、この結果を踏まえ、上記〔５〕のとおり内側上面に対する外側上面の高さが設定されている。このため、そのように高さが設定されていない場合と比較して、パッケージが加熱されることにともない内部シール部が剥離しやすくなる。
【００２１】
〔６〕前記パッケージに従属する一形態によれば、前記トレーの高さ方向に沿う前記トレーの断面上において、前記内側上面のうちの前記フランジの先端側の縁と前記外側上面のうちの前記フランジの根本側の縁とを結ぶ線分と、前記内側上面を通過する線分とのなす角が、１５°〜６０°の範囲に含まれるように前記フランジの形状が設定されている。
【００２２】
本願発明者が実施した試験によれば、上記なす角が１５°以上の大きさに設定される場合、パッケージの加熱にともない内容物から水蒸気が発生したとき、内部シール部がより剥離しやすい。また、上記なす角が６０°以下の大きさに設定される場合、袋のうちの外側上面により持ち上げられた部分にしわが形成されにくく、好ましいパッケージの外観が保たれる。
【００２３】
本パッケージによれば、この結果を踏まえ、上記〔６〕のとおりなす角が設定されている。このため、そのようになす角が設定されていない場合と比較して、パッケージが加熱されることにともない内部シール部が剥離しやすく、かつ、好ましいパッケージの外観が保たれる。
【発明の効果】
【００２４】
本パッケージは、製造のために使用される材料が少なくすることができる。
【図面の簡単な説明】
【００２５】
【図１】実施形態のパッケージの平面図。
【図２Ａ】図１のＺ２Ａ−Ｚ２Ａ線に沿う端面図。
【図２Ｂ】図２ＡのＡ部の拡大図。
【図３】図２Ａのトレーの内圧が上昇した状態を示す端面図。
【図４】図３の内部シール部の一部が剥離した状態を示す端面図。
【図５】図４の内部シール部の別の一部がさらに剥離した状態を示す端面図。
【図６】図５の内部シール部の全部が剥離した状態を示す端面図。
【図７】図６の外部シール部の一部が剥離した状態を示す端面図。
【図８】図７の外部シール部の一部が切り取られた状態を示す端面図。
【図９】図８のトレーが袋から引き出される状態を示す端面図。
【発明を実施するための形態】
【００２６】
図１を参照して、パッケージ１の構成について説明する。
パッケージ１は、内容物１００が載せられたトレー２０、および、トレー２０を包装した袋１０を有する。袋１０は、互いに対向する一対の積層シートの縁が互いにヒートシールされていることにより、密閉された空間である内部空間１１を形成し、この内部空間１１にトレー２０を収容している。なお、図１に示されている袋１０の縁のドットは、一対の積層シートが互いにヒートシールされた部分である外部シール部１５を示している。
【００２７】
袋１０を形成する積層シートは、一例として、透明な材料により形成された最外層、中間層、および、最内層が積層された３層構造により構成されている。最外層を構成する材料の一例は、ポリエチレンテレフタレートである。中間層は、一例として、印刷層、第１接着層、低密度ポリエチレン層、および、第２接着層により構成されている。印刷層は、最外層の内側に形成され、外面に絵柄および商品説明のテキスト等が印刷されている。第１接着層は、印刷層の内側に形成されている。低密度ポリエチレン層は、第１接着層の内側に形成されている。第２接着層は、低密度ポリエチレン層の内側に形成されている。
【００２８】
最内層は、第２接着層の内側に形成されている。最内層を構成する材料の一例は、混合樹脂である。混合樹脂は、直鎖状低密度ポリエチレン、低密度ポリエチレン、および、ポリブテン−１を含む。混合樹脂に含まれる直鎖状低密度ポリエチレンの割合の一例は、２０重量％である。混合樹脂に含まれる低密度ポリエチレンの割合の一例は、６０重量％である。混合樹脂に含まれるポリブテン−１の割合の一例は、２０重量％である。
【００２９】
外部シール部１５は、エンドユーザーが加える比較的弱い力により剥離しない程度の範囲において、任意のシール強度を取り得る。外部シール部１５のシール強度の好ましい範囲の一例は、８Ｎ／１５ｍｍ以上かつ１３Ｎ／１５ｍｍ以下である。一例によれば、外部シール部１５のシール強度は、９Ｎ／１５ｍｍである。
【００３０】
外部シール部１５の一部を袋１０の主要な部分から切り取るための切り取り線１２が、袋１０の短手方向の一方の端部において、袋１０の長手方向の全体にわたり形成されている。２つのノッチ１３が、外部シール部１５において切り取り線１２と対応する部分に形成されている。袋１０から外部シール部１５の一部が切り取られたとき、袋１０の開口１４が開封される。
【００３１】
図２Ａを参照して、トレー２０の構成について説明する。
トレー２０を構成する材料の一例は、混合樹脂である。混合樹脂は、一例として、ポリプロピレンおよびタルクを含む。混合樹脂に含まれるポリプロピレンの割合の一例は、７０重量％である。混合樹脂に含まれるタルクの割合の一例は、３０重量％である。
【００３２】
トレー２０を構成する側壁２１および底壁２２は、内容物１００を収容するための空間である収容空間２４を形成している。側壁２１により形成されたトレー２０の開口２３は、袋１０により覆われている。
【００３３】
収容空間２４に向けて底壁２２から突出した１つの大きな凸である底壁凸部２２Ａ、および、収容空間２４に向けて底壁２２から突出した複数の小さな凸である微小凸部２２Ｂ（図１参照）が、底壁２２の内面に形成されている。底壁凸部２２Ａが形成されていることにより、底壁２２上の水分および油分が内容物１００に付着しにくくなる。微小凸部２２Ｂが形成されていることにより、底壁２２上に載せられている内容物１００が底壁２２上において滑りにくくなる。
【００３４】
収容空間２４とは反対側に向けて底壁２２から突出した複数の小さな凸である微小凸部（図示略）が、底壁２２の外面に形成されている。微小凸部が形成されていることにより、底壁２２と袋１０との接触面積が小さくなるため、袋１０の内面上に水分が溜まったとしてもトレー２０を袋１０に対して動かしやすい。
【００３５】
図２Ｂを参照して、フランジ３０の構成について説明する。
袋１０がシールされるフランジ３０が、トレー２０の開口２３の周囲の全体を取り囲むように側壁２１の外面に形成されている。フランジ３０がトレー２０から突き出ている方向であるフランジ３０の短手方向において、フランジ３０の根本側の部分を構成している基部４０は、側壁２１と接続されている。フランジ３０の短手方向において、基部４０よりもフランジ３０の先端側の部分を構成している谷部５０は、基部４０と接続され、基部４０に対してトレー２０の底部側に形成されている。フランジ３０の短手方向において、フランジ３０の先端側の部分を構成している山部６０は、谷部５０と接続され、その一部が基部４０に対して高い位置に形成されている。
【００３６】
基部４０の上面である内側上面４１は、トレー２０の高さ方向において側壁２１の先端と実質的に同じ位置に形成されている。谷部５０の底面である中間上面５１は、トレー２０の高さ方向において内側上面４１よりも低い位置に形成されている。谷部５０のうちの基部４０と接続されている部分である谷接続部５２は、トレー２０の高さ方向と実質的に平行するように形成されている。
【００３７】
山部６０の上面である外側上面６１は、トレー２０の高さ方向において内側上面４１よりも高い位置に形成されている。山部６０のうちの谷部５０と接続されている部分である山接続部６２は、外側上面６１から中間上面５１に向かうにつれてフランジ３０の短手方向の先端側から根本側に向けて傾斜している。
【００３８】
フランジ３０を補強する補強部６３が、山部６０におけるフランジ３０の短手方向の先端部の底面から下方に向けて延びるように形成されている。補強部６３は、フランジ３０の全周にわたり形成されている。山接続部６２と補強部６３との間に形成されている空間は、指先が挿入できる程度の大きさを有している。このため、エンドユーザーは、補強部６３を取っ手として利用することができる。
【００３９】
図２Ａに示されるとおり、パッケージ１によれば、内側上面４１の全部と袋１０の内面の一部とが互いにヒートシールされた部分である内部シール部１６が形成されている。このため、トレー２０の開口２３が袋１０の一部により閉鎖され、内容物１００が収容空間２４に閉じ込められている。また、内部シール部１６は、内容物１００から発生した水蒸気が内部空間１１のうちのトレー２０の周囲の空間である周囲空間１１Ａに移動することを妨げる。なお、図１に示されている内側上面４１のドットは、内部シール部１６を示している。
【００４０】
内部シール部１６は、パッケージ１が搬送される過程等においてパッケージ１にかかる標準的な力により剥離しない程度の範囲において、任意のシール強度を取り得る。内部シール部１６のシール強度は、外部シール部１５のシール強度よりも低いことが好ましく、その好ましい範囲の一例は、６Ｎ／１５ｍｍ以上かつ１０Ｎ／１５ｍｍ以下である。内部シール部１６の一例によれば、そのシール強度は６Ｎ／１５ｍｍである。
【００４１】
内側上面４１に対する外側上面６１の高さは、１ｍｍ以上に設定されている。図２Ｂに示されるトレー２０の高さ方向に沿うトレー２０の断面上において、内側上面４１のうちのフランジ３０の先端側の縁と外側上面６１のうちのフランジ３０の根本側の縁とを互いに結ぶ線分ＬＸと、内側上面４１を通過する線分ＬＹとのなす角θが、１５°〜６０°の範囲に含まれるようにフランジ３０の形状が設定されている。
【００４２】
図３〜図９を参照して、パッケージ１の使用方法について説明する。
図３に示されるとおり、パッケージ１が電子レンジ等の加熱手段（図示略）により加熱されることにより、内容物１００から水蒸気が発生し、収容空間２４に閉じこめられている水蒸気により内容物１００が蒸らされる。また、水蒸気の発生にともない収容空間２４の圧力が次第に上昇し、袋１０のうちのトレー２０の開口２３を閉鎖している部分が膨張し、袋１０を内側上面４１における収容空間２４側、すなわち、内側上面４１におけるフランジ３０の根本側から剥離させるように作用する力が内部シール部１６に加えられる。
【００４３】
内部シール部１６に加えられる力により、内部シール部１６の一部において袋１０が内側上面４１から剥離したとき、収容空間２４に閉じ込められていた水蒸気がその剥離した部分を介して周囲空間１１Ａに流れ出る。このため、周囲空間１１Ａの圧力が次第に上昇し、袋１０のうちの周囲空間１１Ａを形成している部分が膨張しはじめる。
【００４４】
図４は、収容空間２４の圧力の上昇により、図４に示される断面以外のいずれかの部分において、内部シール部１６の一部が剥離し、周囲空間１１Ａの圧力が上昇しはじめた状態の一例を示している。内部シール部１６により袋１０と繋がっているトレー２０は、周囲空間１１Ａの圧力が上昇して袋１０が膨張することにより、パッケージ１が設置されている設置面から持ち上げられる。そして、パッケージ１が設置面から持ち上げられているとき、トレー２０および内容物１００の自重により、袋１０を内側上面４１から剥離させるように作用する力が内部シール部１６に加えられる。
【００４５】
袋１０のうちの周囲空間１１Ａを形成している部分が膨張したとき、袋１０のうちの外側上面６１よりもフランジ３０の外側の部分が張り出すことにともない、袋１０の一部が外側上面６１と強く接触し、外側上面６１と袋１０との接触部分に力の支点が形成される。このため、袋１０のうちの外側上面６１と内側上面４１との間に存在する部分、すなわち、袋１０のうちの内部シール部１６よりも外側の部分は、袋１０のうちの外側上面６１よりもフランジ３０の外側の部分から強い引っ張り力が加えられる。
【００４６】
このため、内部シール部１６において袋１０が外側上面６１側に強く引っ張られることにより、シールされている袋１０を内側上面４１における周囲空間１１Ａ側、すなわち、内側上面４１におけるフランジ３０の先端側から剥離させる力が作用する。図５は、袋１０のうちの周囲空間１１Ａを形成している部分が膨張することにより、内部シール部１６の剥離が促されている状態の一例を示している。
【００４７】
そして、袋１０のうちの周囲空間１１Ａの圧力が上昇しているときには、上記のとおり内側上面４１におけるフランジ３０の先端側から袋１０を剥離させるように作用する力が継続して内部シール部１６に加えられるため、収容空間２４の圧力の上昇により剥離していない内部シール部１６の剥離が促される。
【００４８】
図６に示されるとおり、袋１０が外側上面６１側に強く引っ張られることにより、内部シール部１６の全部が剥離したとき、トレー２０が袋１０から完全に分離し、電子レンジの皿（図示略）等の設置面上に存在する袋１０の内面上に落下する。その後も内容物１００から水蒸気が発生し続けることにより周囲空間１１Ａの圧力がさらに上昇し、その圧力が外部シール部１５を部分的に剥離させる程度の大きさに達したとき、図７に示されるとおり、外部シール部１５の一部が剥離して周囲空間１１Ａの水蒸気が周囲空間１１Ａから袋１０の外部に流れ出る。このため、外部シール部１５の一部が剥離していないときと比較して、袋１０の内圧の上昇が抑えられる。このため、袋１０の内圧が過度に上昇して袋１０が破裂するような状況が生じにくくなる。
【００４９】
パッケージ１の加熱が終了した後、エンドユーザーは、外部シール部１５を掴んで加熱されたパッケージ１を加熱手段の外部に取り出し、図８に示されるとおり、外部シール部１５の一部を切り取り線１２に沿って切り取ることにより、袋１０の開口１４を開封する。パッケージ１によれば、フランジ３０の山部６０が袋１０の開口１４と面しているため、開口１４が開封されたとき、フランジ３０の一部が開口１４を介して外部を臨む。このため、エンドユーザーがフランジ３０に手を掛けやすい。そして、エンドユーザーは、山部６０を掴んで、図９に示されるとおりトレー２０を袋１０から取り出す。
【００５０】
パッケージ１によれば、以下の効果Ａが得られる。
パッケージ１の袋１０は、トレー２０の開口２３を閉鎖する役割、および、トレー２０を包装する役割を持つ。このため、トレー２０の開口２３がシートによりシールされ、さらに、このトレー２０が袋１０により包装されるパッケージと比較して、製造のために使用される材料が少なくなる。
【００５１】
パッケージ１によれば、比較例のパッケージと比較して以下の有利な効果が得られる。
第１の比較例のパッケージは、フランジ３０の谷部５０および山部６０が存在していない点において実施形態のパッケージ１と相違し、その他の点においてパッケージ１と実質的に同じ構成を有する。第１の比較例のパッケージによれば、上記効果Ａと同様の効果が得られる一方、本願発明者が実施した試験により次の問題が存在することが確認されている。
【００５２】
第１の比較例のパッケージが加熱されたとき、パッケージ１と同様に最初に内部シール部の一部が剥離し、収容空間に閉じ込められていた水蒸気が周囲空間に流れ、周囲空間の圧力が上昇して袋が全体的に膨張し、外部シール部が剥離する。しかし、パッケージの加熱が終了したとき、剥離していない内部シール部が存在している頻度が高い。剥離していない内部シール部が存在している場合には、エンドユーザーが、袋からトレーを引き出す前にその内部シール部を剥離させる必要が生じる。このため、パッケージの利便性が低下する。
【００５３】
第２の比較例のパッケージは、フランジ３０の山部６０が存在していない点において実施形態のパッケージ１と相違し、その他の点においてパッケージ１と実質的に同じ構成を有する。第２の比較例のパッケージによれば、上記効果Ａと同様の効果が得られる一方、本願発明者が実施した試験により次の問題が存在することが確認されている。
【００５４】
第２の比較例のパッケージが加熱されたとき、パッケージ１と同様に最初に内部シール部の一部が剥離し、収容空間に閉じ込められていた水蒸気が周囲空間に流れ、周囲空間の圧力が上昇して袋が全体的に膨張する。そして、袋の膨張にともないフランジの先端部分である谷部の先端と袋の一部とが強く接触して力の支点が形成されることにより、内部シール部において袋を内側上面から剥離させるように作用する力が袋に加えられる。
【００５５】
このように、第２の比較例のパッケージによれば、内部シール部の剥離が促されるため、パッケージの加熱が終了したとき、第１の比較例のパッケージと比較して、剥離していない内部シール部が存在している頻度が低くなる。しかし、このパッケージにおいても、より利便性が高いパッケージを提供する側面からすると、内部シール部の剥離しやすさについてさらなる改善を加えることが好ましい。
【００５６】
一方、パッケージ１によれば、その加熱にともなう収容空間２４の圧力の上昇により内部シール部１６が剥離し、さらに、そのときに剥離しない内部シール部１６の剥離が、外側上面６１と袋１０との接触部分に形成される力の支点に基づいて加えられる力により促される。このため、パッケージ１の加熱が終了したときに、各比較例のパッケージと比較して、剥離していない内部シール部１６が存在している頻度が低くなる。このため、エンドユーザーが、加熱されたパッケージ１のトレー２０を袋１０から引き出すときに、内部シール部１６を剥離させる必要が生じにくくなる。このように、パッケージ１によれば、各比較例のパッケージと比較して高い利便性が得られる。
【００５７】
パッケージ１によれば、さらに、以下の作用および効果が得られる。
（１）パッケージの加熱が終了したときに、剥離していない内部シール部が存在している頻度を低減する方法として、内部シール部のシール強度を低く設定する方法が考えられる。しかし、この方法により形成されるパッケージによれば、そのパッケージがエンドユーザーに提供されるまでの流通過程等において加えられる力により、内部シール部が剥離し、内容物がトレーの収容空間からこぼれるおそれがある。さらには、そのように内部シール部が剥離している場合には、そのパッケージを加熱手段により加熱しても内容物が蒸らされにくい。このように、上記パッケージによれば、エンドユーザーがパッケージを加熱調理する前に内部シール部が剥離し、パッケージに求められる本来の機能が損なわれるおそれがある。
【００５８】
一方、パッケージ１によれば、内部シール部１６のシール強度を上記のように低く設定する方法を採用せず、内部シール部１６の剥離を促すための山部６０をフランジ３０に形成している。このため、エンドユーザーがパッケージ１を加熱調理する前に内部シール部１６が剥離するおそれが低く、かつ、その加熱調理にともない内容物１００が適切に蒸らされやすくなる。
【００５９】
（２）パッケージ１によれば、補強部６３がフランジ３０に形成されている。このため、補強部６３が形成されていないフランジ３０と比較してフランジ３０の剛性が高くなり、外側上面６１が袋１０から力を受けてもフランジ３０が変形しにくい。このため、袋１０のうちの外側上面６１と内側上面４１との間に存在する部分に、好ましい引っ張り力が作用することにより、内部シール部１６が一層剥離しやすくなる。
【００６０】
（３）パッケージ１によれば、補強部６３が、フランジ３０の全周にわたり形成されている。このため、フランジ３０の剛性が一層高くなることにより、袋１０のうちの外側上面６１と内側上面４１との間に存在する部分により好ましい引っ張り力が作用し、パッケージ１が加熱されたときに内部シール部１６が一層剥離しやすくなる。また、エンドユーザーが、加熱されたパッケージ１のトレーを袋１０から取り出す場合に、フランジ３０の補強部６３を取っ手として利用しやすくなる。
【００６１】
（４）パッケージ１によれば、中間上面５１が、トレー２０の高さ方向において内側上面４１よりも低い位置に形成されている。このため、シール装置により袋１０と内側上面４１とがシールされるとき、袋１０が中間上面５１にもシールされることが回避され、パッケージ１が加熱されたときに内部シール部１６が一層剥離しやすくなる。
【００６２】
（５）本願発明者が実施した試験によれば、内側上面４１に対する外側上面６１の高さが１ｍｍ以上に設定される場合、パッケージ１の加熱にともない内容物１００から水蒸気が発生したとき、内部シール部１６がより剥離しやすい。
【００６３】
パッケージ１によれば、この結果を踏まえ、内側上面４１に対する外側上面６１の高さが１ｍｍ以上の高さに設定されている。このため、そのように高さが設定されていない場合と比較して、パッケージ１が加熱されることにともない内部シール部１６が剥離しやすくなる。
【００６４】
（６）本願発明者が実施した試験によれば、線分ＬＸと線分ＬＹとのなす角θが１５°以上の大きさに設定される場合、パッケージ１の加熱にともない内容物１００から水蒸気が発生したとき、内部シール部１６がより剥離しやすい。また、上記なす角θが６０°以下の大きさに設定される場合、袋１０のうちの外側上面６１により袋１０の内側から持ち上げられた部分にしわが形成されにくく、好ましいパッケージ１の外観が保たれる。
【００６５】
パッケージ１によれば、この結果を踏まえ、上記なす角θが１５°〜６０°の範囲に含まれるようにフランジ３０の形状が設定されている。このため、そのようになす角θが設定されていない場合と比較して、パッケージ１が加熱されることにともない内部シール部１６が剥離しやすく、かつ、好ましいパッケージ１の外観が保たれる。
【００６６】
本パッケージが取り得る具体的な形態は、上記実施形態に例示された形態に限定されない。本パッケージは、本発明の目的が達成される範囲において、上記実施形態とは異なる各種の形態を取り得る。以下に示される上記実施形態の変形例は、本パッケージが取り得る各種の形態の一例である。
【００６７】
・変形例のパッケージ１によれば、フランジ３０の一部において実施形態の谷部５０および山部６０が省略されている。例えば、フランジ３０のうちのトレー２０の短手方向に延びる側壁２１と対応する部分において、谷部５０および山部６０が省略される。本変形例１のパッケージ１によれば、フランジ３０の別の一部、すなわち、フランジ３０のうちのトレー２０の長手方向に延びる側壁２１と対応する部分に山部６０が形成されているため、実施形態のパッケージ１により得られる効果に準じた効果が得られる。
【００６８】
・変形例のパッケージ１によれば、内側上面４１のうちの比較的狭い一部の範囲が袋１０とヒートシールされず、内側上面４１のその他の部分が袋１０とヒートシールされる。この場合には、実施形態のパッケージ１と比較して、内容物１００から発生した水蒸気がより早い時期に収容空間２４から周囲空間１１Ａに流れ出る。一方、内側上面４１においてヒートシールされていない部分の面積が比較的狭いことにより、収容空間２４に比較的多くの水蒸気が滞留する。このため、本変形例のパッケージ１においても、その加熱にともない内容物１００が適切に蒸らされる。
【００６９】
・変形例のパッケージ１によれば、実施形態のフランジ３０の谷部５０が省略され、基部４０と山部６０とが直接的に接続される。
・変形例のパッケージ１によれば、フランジ３０の中間上面５１が、トレー２０の高さ方向における内側上面４１と外側上面６１との間の位置、または、トレー２０の高さ方向における内側上面４１と同じ位置に形成される。
【００７０】
・変形例のパッケージ１によれば、フランジ３０の全周ではなくフランジ３０の一部に補強部６３が形成される。例えば、フランジ３０のうちのトレー２０の長手方向に延びる部分に補強部６３が形成され、フランジ３０のうちのトレー２０の短手方向に延びる部分には補強部６３が形成されない。
【００７１】
・変形例のパッケージ１によれば、外部シール部１５のうちの比較的狭い一部の範囲のシール強度が、外部シール部１５の他の部分のシール強度よりも低く設定される。この場合には、パッケージ１の加熱による周囲空間１１Ａの圧力が上昇したとき、外部シール部１５のうちのシール強度が低く設定された部分が、外部シール部１５の他の部分よりも先に剥離する。このため、周囲空間１１Ａの圧力の上昇にともない袋１０が破裂するおそれがより低減される。一方、外部シール部１５においてシール強度が低く設定される部分の面積が比較的狭いことにより、その部分が剥離しても、周囲空間１１Ａに比較的多くの水蒸気が滞留する。このため、本変形例のパッケージ１においても、外側上面６１側から内部シール部１６に加えられる力により、内部シール部１６の剥離が促される。
【００７２】
・変形例のパッケージ１によれば、内部シール部１６のうちの比較的狭い一部の範囲のシール強度が、内部シール部１６の他の部分のシール強度よりも低く設定される。この場合には、パッケージ１の加熱による収容空間２４の圧力が上昇したとき、内部シール部１６のうちのシール強度が低く設定された部分が、内部シール部１６の他の部分よりも先に剥離する。このため、実施形態のパッケージ１と比較して、内容物１００から発生した水蒸気がより早い時期に収容空間２４から周囲空間１１Ａに流れ出る。一方、内部シール部１６においてシール強度が低く設定される部分の面積が比較的狭いことにより、その部分が剥離しても、収容空間２４に比較的多くの水蒸気が滞留する。このため、本変形例のパッケージ１においても、その加熱にともない内容物１００が適切に蒸らされる。
【符号の説明】
【００７３】
１…パッケージ
１０…袋
１６…内部シール部
２０…トレー
２３…開口
３０…フランジ
４１…内側上面
５１…中間上面
６１…外側上面
６３…補強部
【図１】
2015174696.tif 000003
【図２Ａ】
2015174696.tif 000004
【図２Ｂ】
2015174696.tif 000005
【図３】
2015174696.tif 000006
【図４】
2015174696.tif 000007
【図５】
2015174696.tif 000008
【図６】
2015174696.tif 000009
【図７】
2015174696.tif 000010
【図８】
2015174696.tif 000011
【図９】
2015174696.tif 000012